(57)【要約】【課題】結像レンズの主走査方向と副走査方向の各像高における結像位置が異なっている場合においても、主走査方向と副走査方向共に、各像高での固体撮像素子からの出力信号を均一にし、また、カラー原稿にも対応でき、Ｒ，Ｇ，Ｂの各色の結像位置を一致させ、主走査方向と副走査方向共に、各像高での固体撮像素子からの出力信号を各色、各像高共に均一にし、結像性能が劣化せず、さらに、光軸上光束の主走査方向と副走査方向の結像位置を変化させない画像読取装置および画像形成装置を得る。【解決手段】原稿の画像情報を結像させる結像レンズＬ１と、この画像情報を読み取る固体撮像素子４００とを有してなる画像読取装置であって、結像レンズＬ１と固体撮像素子４００の間の光路中にアナモフィック面を有するミラーＭＡが配置されている。【選択図】　図１
2004109793.tif 000002
【特許請求の範囲】
【請求項１】
原稿の画像情報を結像させる結像レンズと、この画像情報を読み取る固体撮像素子とを有してなる画像読取装置であって、
上記結像レンズと固体撮像素子の間の光路中にアナモフィック面を有するミラーが配置されていることを特徴とする画像読取装置。
【請求項２】
アナモフィック面を有するミラーは、第１面が特定の波長のみを透過する平面形状であり、第２面がアナモフィック面である請求項１記載の画像読取装置。
【請求項３】
アナモフィック面の光軸近傍は、主走査方向と副走査方向で同じパワーである請求項１または２記載の画像読取装置。
【請求項４】
アナモフィック面の光軸近傍は、主走査方向と副走査方向でパワーを持たない請求項３記載の画像読取装置。
【請求項５】
原稿の画像情報を結像させる結像レンズと、この画像情報を読み取る固体撮像素子と、上記原稿を照明する照明手段およびこの原稿からの反射光を上記結像レンズに導くためのミラーとが取り付けられた第一走行体と、上記第一走行体に取り付けられたミラーからの反射光を上記結像レンズに導くミラーが取り付けられた第二走行体とを有してなる画像読取装置であって、
上記結像レンズと固体撮像素子の間の光路中にアナモフィック面を有するミラーが配置され、
上記第一走行体に取り付けられたミラーは、第１面が特定の波長のみを透過する平面形状であり、第２面がアナモフィック面であることを特徴とする画像読取装置。
【請求項６】
感光体に画像情報を書き込む露光プロセスを実行する画像読取装置を有してなり、電子写真プロセスを実行することで画像を形成する画像形成装置であって、
上記画像読取装置は、請求項１乃至５のいずれかに記載の画像読取装置であることを特徴とする画像形成装置。
【発明の詳細な説明】
【０００１】
【発明の属する技術分野】
本発明は、ラインセンサ（ラインＣＣＤ）等の固体撮像素子を用いた画像読取装置、及びこの画像読取装置を用いた画像形成装置に関するものである。
【０００２】
【従来の技術】
デジタル複写機、イメージスキャナ等に用いられる画像読取装置は、原稿を縮小し、同じ画素サイズの受光素子を１チップ上に配列した電荷結合素子（Ｃｈａｒｇｅ　Ｃｏｕｐｌｅｄ　Ｄｅｖｉｃｅ：ＣＣＤ）のような固体撮像素子上の受光面上に原稿の像を結像させ、原稿の情報を信号化して読み取るものである。
図４は、従来のデジタル複写機などに多く使われている画像読取装置の一例を示す光学配置図である。画像読取装置は、照明手段Ｑにより原稿台の上に載置された原稿Ｐを照明し、その反射光を、副走査方向（紙面左右方向）に走査する第一走行体Ｃ１の折り返しミラーＭ１と、第一走行体Ｃ１の半分のスピードで副走査方向に走査する第二走行体Ｃ２の折り返しミラーＭ２，Ｍ３を介して結像レンズＬ１によりＣＣＤ４００に結像させ、ＣＣＤ４００が原稿情報を読み取るように構成されている。
【０００３】
従来の画像読取装置に用いられる結像レンズは、各像高で、あるスレッシュホールドレベル以上の解像力を有しているが、ラインセンサの長手方向（主走査方向）とそれに直交する方向（副走査方向）の結像位置の違いにより、像高間での解像力のレベルは異なっている。このため、ＣＣＤのような固体撮像素子から出力される信号のレベルは、同一濃度の原稿情報を読み取った場合においても像高によって異なり、より高画質化を狙った場合には、各像高共に均一な信号をＣＣＤより出力することが望ましい。
【０００４】
また、カラー機においては、それぞれ赤（Ｒ）、緑（Ｇ）、青（Ｂ）のフィルタを有する、３ラインＣＣＤを用いて、カラー原稿画像をＲ，Ｇ，Ｂの３原色に分解した後に読み取るようになっている。このような３ラインＣＣＤを用いてカラーの原稿画像を読み取る場合には、Ｒ，Ｇ，Ｂ各色の結像位置を一致させる必要がある。
【０００５】
図５は、従来の画像読取装置の欠点について説明した光学配置図であり、結像レンズＬに軸上の色収差がある場合の一例として、緑（Ｇ）を基準波長とし、赤（Ｒ）がプラス、青（Ｂ）がマイナスの色収差を有していることを示している。この場合、像面位置を図中の光軸方向Ｘ，Ｙ，Ｚのどの位置に合わせたとしても、各色全て良好なＭＴＦ（変調伝達関数）を得ることは出来ない。
一例として、像面を青（Ｂ）の結像位置であるＸの位置に合わせた場合のＭＴＦを図６に示す。図６から明らかなように、各色の結像位置でのＭＴＦ値は異なる。
この点を改善するためには、結像レンズの色収差を広い波長域で良好に補正する必要があるが、完全に色収差を補正することは困難であり、色収差を小さく抑えるためには、結像レンズに高価な硝材を使う必要が生じてしまい、結像レンズのコストが高くなってしまうという不具合がある。
【０００６】
各色の結像位置を一致させる、つまり光学系の各色のピント調整の方法としては、結像レンズとＣＣＤの光路中に多重ダイクロイックミラーを配置する技術が提案されている（例えば、特許文献１参照。）。
しかし、このような方法は、多重ダイクロイックミラーという新規な部品を追加する必要があり、それに伴う保持機構なども必要となり部品点数が大幅に増加して、コストアップの要因となる。
また、結像レンズとＣＣＤの間に配置することになるため、多重ダイクロイックミラーの面精度を非常に高くする必要がある。
さらに、上記従来の方式は、結像レンズとＣＣＤ間の光路長を変化させる方法であるため、調整の精度を高くする必要があり、多重ダイクロイックミラーの角度や厚みの精度も非常に高くする必要がある。したがって、単部品の単価は上がり、長い調整時間も必要となる。
さらにまた、光路長を変化させることにより、各色の倍率が異なってしまう不具合もある。
【０００７】
上記光学系のピント調整は、原稿面に、ラインセンサの長手方向に直行して、等間隔に配列された通常白黒のラインのパターンを読み取り、レンズおよびラインセンサの位置を変化させ、縮率とラインセンサの出力が良好になるように調整されている。
図７は、レンズの解像力特性（ＭＴＦ特性）を示す線図で、横軸は結像深度（ｄｅｆ）、縦軸はＭＴＦ％である。図中、主走査ＯＫ領域は、「Ｖ」で示す主走査方向のＭＴＦ％が所定のＭＴＦ％（スレッシュホールドレベル）を満足する結像深度の範囲を示し、副走査ＮＧ領域は、「Ｗ」で示す副走査方向のＭＴＦ％がスレッシュホールドレベルを満足しない結像深度の範囲を示す。「Ｕ」は光軸上の解像力特性を示す。
ここで、前記従来の方法では、ピント調整時に、ラインセンサの長手方向に直行した副走査方向の出力のみしか見ることができないため、図７に示す主走査ＯＫ領域内の位置Ａで調整される可能性があり、光軸上と主走査方向の解像力は、スペックを満足するためのスレッシュホールドレベルを満足するが、調整時にＭＴＦを見ることができない副走査方向の解像力は、スペックを満足するためのスレッシュホールドレベルを満足することができず、副走査方向の解像力不良などの問題が生じる原因となっている。
また、副走査方向の解像力不良が出た場合は、再度ピント調整が必要となり、ピント調整作業が極めて煩雑なものとなっている。
【０００８】
一方、レンズにより結像された像を検出するイメージセンサの出力を監視し、ＭＴＦ％が所定の許容限界を上回るようにイメージセンサとレンズの相対位置を固定することで、解像力を高いレベルに設定するピント調整方法も提案されている（例えば、特許文献２参照。）。
しかし、特許文献２記載の発明では、副走査方向のＭＴＦ出力を見てピント調整を実施するのではなく、あらかじめ結像レンズの性能が分かっている前提であり、結像レンズを構成する部品が公差内でばらつき、結像性能が変わってしまった場合には、主走査、副走査方向共に良好な解像力を有する位置にピントを調整することができない。
【０００９】
また、アナモフィックレンズを含む結像レンズを有する画像読取装置において、結像レンズの主走査方向と読取手段の主走査方向とを合致させることにより、結像レンズの主走査方向及び副走査方向に対応した光学性能を十分に発揮して高精度な画像読取を行うことができる画像読取装置も提案されている（例えば、特許文献３参照。）。
しかし、特許文献３記載の発明では、結像レンズのレンズ面をアナモフィック面としており、結像レンズの組み付け時の偏心による左右像高でのＭＴＦのバランスの崩れ（像面が傾くことによるピント位置ずれ）を、結像レンズの光軸を回転軸として回転させることによりＭＴＦのバランスを良好に補正する（主走査方向への像面の傾きを副走査方向に変化させる）ことができない。
【００１０】
そこで本出願人は先に、これらの問題点を原稿面と結像レンズの間に配置されるミラーにアナモフィック面を有することで解決した、新規な画像読取装置、及びこれを用いた画像形成装置を提案した。
この先願の画像読取装置によれば、アナモフィック面を有するミラーを用いるか、アナモフィック面を有する部材を用いることで、結像レンズの主走査方向、副走査方向の各像高における結像位置が異なっている場合においても、その補正が容易に可能となり、各像高での固体撮像素子からの出力信号を均一にした画像読取装置を提供することができる。
【００１１】
【発明が解決しようとする課題】
しかしながら、前記アナモフィック面を有するミラーは、原稿を読み取る際に移動するミラーであり、振動による結像性能の劣化、あるいは主走査方向に長いミラーをアナモフィック面にするためのコストアップなど、より高画質、高性能を低コストにて達成するための課題があった。
また、アナモフィック面を用いた部材を用いた場合、カラー機に対応する際に、Ｒ，Ｇ，Ｂの各色において異なる像面湾曲である場合には、各色を良好に補正するための課題があった。
さらに、アナモフィック面を用いた部材を用いた場合、色収差による結像位置の違いは結像レンズで補正する必要があり、結像レンズに高価な硝材を用いなければならず、コストアップになるという課題もあった。
【００１２】
【特許文献１】
特開平６−３２６８３３
【特許文献２】
特開平８−２１４１１２
【特許文献３】
特開２０００−３０７８２８
【００１３】
本発明は以上のような従来技術の問題点を解消するためになされたもので、結像レンズの主走査方向と副走査方向の各像高における結像位置が異なっている場合においても、主走査方向と副走査方向共に、各像高での固体撮像素子からの出力信号を均一にし、結像性能の劣化しない高品質な画像読取装置および画像形成装置を提供することを目的とする。
また本発明は、カラー原稿にも対応でき、Ｒ，Ｇ，Ｂの各色の結像位置を一致させ、主走査方向と副走査方向共に、各像高での固体撮像素子からの出力信号を各色、各像高共に均一にし、結像性能の劣化しない高品質な画像読取装置および画像形成装置を提供することを目的とする。
さらに本発明は、光軸上光束の主走査方向と副走査方向の結像位置を変化させない画像読取装置および画像形成装置を提供することを目的とする。
【００１４】
【課題を解決するための手段】
請求項１記載の発明は、原稿の画像情報を結像させる結像レンズと、この画像情報を読み取る固体撮像素子とを有してなる画像読取装置であって、結像レンズと固体撮像素子の間の光路中にアナモフィック面を有するミラーが配置されていることを特徴とする。
【００１５】
請求項２記載の発明は、請求項１記載の発明において、アナモフィック面を有するミラーは、第１面が特定の波長のみを透過する平面形状であり、第２面がアナモフィック面であることを特徴とする。
【００１６】
請求項３記載の発明は、請求項１または２記載の発明において、アナモフィック面の光軸近傍は、主走査方向と副走査方向で同じパワーであることを特徴とする。
【００１７】
請求項４記載の発明は、請求項３記載の発明において、アナモフィック面の光軸近傍は、主走査方向と副走査方向でパワーを持たないことを特徴とする。
【００１８】
請求項５記載の発明は、原稿の画像情報を結像させる結像レンズと、画像情報を読み取る固体撮像素子と、原稿を照明する照明手段および原稿からの反射光を結像レンズに導くためのミラーとが取り付けられた第一走行体と、第一走行体に取り付けられたミラーからの反射光を結像レンズに導くミラーが取り付けられた第二走行体とを有してなる画像読取装置であって、結像レンズと固体撮像素子の間の光路中にアナモフィック面を有するミラーが配置され、第一走行体に取り付けられたミラーは、第１面が特定の波長のみを透過する平面形状であり、第２面がアナモフィック面であることを特徴とする。
【００１９】
請求項６記載の発明は、感光体に画像情報を書き込む露光プロセスを実行する画像読取装置を有してなり、電子写真プロセスを実行することで画像を形成する画像形成装置であって、画像読取装置は、請求項１乃至５のいずれかに記載の画像読取装置であることを特徴とする。
【００２０】
【発明の実施の形態】
以下、図面を参照しながら本発明にかかる画像読取装置および画像形成装置の実施の形態について説明する。
【００２１】
先ず、本発明にかかる画像読取装置の実施の形態について説明する。
図１は、本発明にかかる画像読取装置の実施の形態を示す光学配置図であり、画像形成装置は、図４に示した従来の画像読取装置と同様に、光源Ｑと、原稿の画像情報を読み取る固体撮像素子４００と、光源Ｑにより照明された原稿Ｐからの反射光を固体撮像素子４００に結像する結像レンズＬ１と、原稿Ｐからの反射光を結像レンズＬ１に導くためのミラーＭ１，Ｍ２，Ｍ３、とを有してなる。
【００２２】
光源ＱとミラーＭ１は第一走行体Ｃ１に取り付けられ、ミラーＭ１は原稿Ｐからの反射光をミラーＭ２の方に向かって原稿Ｐの面と平行な方向に反射するようになっている。ミラーＭ２とミラーＭ３は第二走行体に双方の反射面が互いに直角をなすように取り付けられていて、ミラーＭ１からの反射光を折り返すようになっている。第一走行体Ｃ１は原稿Ｐの面と平行して走行し、第二走行体Ｃ２は第一走行体Ｃ１の半分のスピードで原稿Ｐの面と平行に走行することにより、原稿Ｐの面から固体撮像素子４００の受光面までの距離が常に一定に保たれるように構成されている。
【００２３】
ここで、この実施の形態にかかる画像読取装置は、アナモフィックな面（以下、「アナモフィック面」という）を有するミラーＭＡが、結像レンズＬ１と固体撮像素子４００との間の光路中に配置されていることを特徴とする。
【００２４】
アナモフィック面の主走査方向の形状は、光軸方向の座標をＸ、光軸と直交する方向の座標をＹ、近軸の曲率半径をＲ、円錐定数をＫ、高次の係数をＡ、Ｂ、Ｃ、Ｄ…とすると、
Ｘ＝Ｙ＾２／［Ｒ＋Ｒ√｛１−（１＋Ｋ）（Ｙ／Ｒ）＾２｝］＋Ａ＊Ｙ＾４＋Ｂ＊Ｙ＾６＋Ｃ＊Ｙ＾８＋Ｄ＊Ｙ＾１０＋・・・　　（式１）
なる式における、係数Ｒ，Ｋ，Ａ，Ｂ，Ｃ，Ｄ，・・・を与えることで特定される。ただし、主走査方向は、屈折力を持たない平面形状でも良い。
【００２５】
アナモフィック面の副走査方向の形状は、光軸と直交する方向の座標Ｙ（主走査方向の高さ）における曲率半径ｒｓｉ（Ｙ）（ｉ＝１，２，・・・）とすると、
ｒｓｉ（Ｙ）＝ａ＋ｂ＊Ｙ＾２＋ｃ＊Ｙ＾４＋ｄ＊Ｙ＾６＋ｅ＊Ｙ＾８
＋ｆ＊Ｙ＾１０＋・・・　　　　　　　　　　　　　　　（式２）
なる式における、係数ａ，ｂ，ｃ，ｄ，ｅ，ｆ，・・・を与えることで特定される。
【００２６】
ここで、アナモフィック面の使用により、像高毎に副走査方向に異なるパワーを持たせることが可能となり、像面上で像高毎の副走査方向の結像位置を変化させ、結像レンズＬ１の像面湾曲により発生する副走査方向の結像位置のずれを補正することができる。
また、主走査方向の形状を非円弧形状とすることで、固体撮像素子４００、例えばラインＣＣＤの長手方向の「そり」を補正し、各像高での主走査方向の結像位置をラインＣＣＤの対応する像高の受光部に一致させることが可能となる。
【００２７】
したがって、アナモフィック面の使用により、結像レンズＬ１の主走査方向と副走査方向の各像高における結像位置が異なっている場合においても、主走査方向と副走査方向共に、各像高における結像位置を一致させることが可能となり、固体撮像素子４００からの出力信号を均一にすることが可能となる。
【００２８】
結像レンズＬ１は、組み付け時の偏心などの影響により、左右像高にてＭＴＦのバランスが崩れることは周知である。この対策として、結像レンズＬ１を光軸を軸として回転することにより、偏心方向を変化させ、左右像高でのＭＴＦのバランス取りをする方法、すなわち左右像高のＭＴＦピーク位置を一致させる方法が多く採られている。
ここで、アナモフィック面は、主走査方向と副走査方向で形状が異なるため、配置においても方向性を持つ。このため、結像レンズＬ１内のレンズがアナモフィックな形状となった場合、結像レンズＬ１の回転による左右像高のＭＴＦのバランス取りができない。
【００２９】
そこで、本発明にかかる画像読取装置の実施の形態では、結像レンズＬ１と、アナモフィック面を持つ部材、すなわちミラーＭＡとを別体とすることで、左右像高のＭＴＦのバランス取りが可能となる。
【００３０】
また、図１に示すようにアナモフィック面を有するミラーＭＡを結像レンズＬ１と固体撮像素子４００の間の光路中に配置することで、ミラーＭＡを主走査方向に小型化することができる。
さらに、ミラーＭＡは、原稿を読み取る際に移動しないため、移動による振動の影響を受けることがなく、結像性能が劣化しない高品質な画像読取が可能となる。
【００３１】
次に、本発明にかかる画像読取装置の別の実施の形態について説明する。
本実施の形態は、像高毎の主走査方向と副走査方向の結像位置を一致させ、同時に、カラー画像読取時において、Ｒ，Ｇ，Ｂの結像位置を一致させることで、固体撮像素子からの出力信号をＲ，Ｇ，Ｂの各色、各像高共に均一にすることを可能とするものである。
【００３２】
図２は、本実施の形態に係る画像読取装置の光学配置図である。符号５００は原稿面、Ｑ２は照明手段、Ｍ１０，Ｍ２０，Ｍ３０は照明手段Ｑ２から原稿面５００に載置された原稿を照明した光の反射光を図示しない固体撮像素子に導くミラーをそれぞれ示す。
ミラーＭ１０の反射面とミラーＭ２０の反射面は互いに直角をなし、ミラーＭ２０の反射面とミラーＭ３０の反射面は互いに平行となっている。原稿面５００からの反射光はミラーＭ１０に向かって側方に反射され、ミラー１０からの反射光はミラーＭ２０に向かって側方に反射され、ミラーＭ２０からの反射光はミラーＭ３０に向かって側方に反射されて、原稿面５００と平行に進むようになっている。
なお、ミラーＭ１０，Ｍ２０，Ｍ３０は、ミラースキャン方式の場合には、第一走行体に配置する必要がある。
ミラーＭ３０による反射光は、図１について説明したような第二走行体に向かって進み、第二走行体のミラーで折り返され、結像レンズを経て固体撮像素子に至るように構成されている。
【００３３】
ここで、ミラーＭ１０，Ｍ２０，Ｍ３０の第１面（表面）は特定の波長のみを透過して他の波長を反射する反射面であり、第２面（裏面）はアナモフィック面からなる反射面である。ここで、各ミラーの表側、つまり原稿面からの反射光の入射側の面を第１面とし、奥側の面を第２面とする。すなわち、図２において、ミラーＭ１０の第１面Ｆ１１は緑（Ｇ）のみを透過する反射面、ミラーＭ２０の第１面Ｆ２１は赤（Ｒ）のみを透過する反射面、ミラーＭ３０の第１面Ｆ３１は青（Ｂ）のみを透過する反射面、となるように表面コートされている。また、ミラーＭ１０，Ｍ２０，Ｍ３０の第２面Ｆ１２，Ｆ２２，Ｆ３２は、それぞれアナモフィック面である。
【００３４】
したがって、アナモフィック面の形状は、Ｒ，Ｇ，Ｂの各色で最適となるように設定が可能となる。
また、Ｒ，Ｇ，Ｂの各色で異なるアナモフィック面の効果を持たせることが可能であるため、色収差による結像位置のずれを補正することが可能となる。
なお、図２において、各色の光路は、原稿面上の同じ位置を読み取っているが、３ラインＣＣＤ使用時は、Ｒ，Ｇ，Ｂの読取位置は副走査方向にずれることは周知の通りである。
【００３５】
また、各ミラーの厚みを変化させ、各色で物体距離を変化させることにより色収差による結像位置のずれをキャンセルすることもできる。物体距離を長くすることで結像位置は結像レンズ側に移動し、物体距離を短くすることで結像位置が結像レンズより遠くなることは周知である。
このとき、物体距離の変化に伴い、各色で倍率が異なってしまうが、アナモフィック面で各色の倍率を一致させることは可能である。
【００３６】
なお、図２は、３枚のミラーを用いた場合を例として示したが、ミラーの枚数は３枚に限定するものではない。
また、図１に示したミラーＭＡの第１面を特定の波長のみを透過する平面形状とし、第２面をアナモフィック面とすることで、上記説明した本実施の形態の効果を得るようにしてもよい。
【００３７】
次に、本発明にかかる画像読取装置のさらに別の実施の形態について説明する。
アナモフィック面の光軸近傍は、主走査方向と副走査方向で同じパワーを持つ形状としておく必要がある。結像レンズの性能において、光軸近傍、つまり軸上光束における主走査方向と副走査方向の結像位置が一致することは周知である。このため、主走査方向と副走査方向でパワーが異なると、一致していた結像位置が離れてしまう。つまり、先に説明したように、結像レンズの収差の影響により軸外光束においては、主走査方向と副走査方向にて結像位置が異なるため、アナモフィック面での補正は有効であるが、主走査方向と副走査方向の結像位置が一致している光軸近傍においては、逆効果となり、結像位置は離れてしまう。
【００３８】
その一例として、アナモフィック面の光軸近傍は、主走査方向と副走査方向でパワーを持たないようにすることで、主走査方向と副走査方向の光軸近傍、つまり軸上光束における結像位置を一致させることができる。
具体的には、前述した（式１）の「Ｒ」と（式２）の「ａ」をそれぞれ「∞」とし、他の係数を最適に設定することにより、光軸上から軸外に亘り、結像位置を一致させることが可能となり、各像高での固体撮像素子からの出力信号を均一にすることができる。
【００３９】
この時、アナモフィック面を有するミラーは、軸上光束と軸外光束の結像位置を良好に補正するために、軸上と軸外の光束が充分に分離されている位置、つまり、結像レンズから離れた場所に配置することが望ましい。
【００４０】
次に、本発明にかかる画像形成装置の実施の形態について、図３を参照しながら説明する。
図３は、本発明にかかる画像形成装置の実施の形態を示す中央断面図である。符号３００は、電子写真プロセスを実行することで画像を形成する画像形成装置である複写機を示す。複写機３００は、電子写真プロセスのうち、画像情報を感光体に書き込む露光プロセスを実行するイメ−ジスキャナ１００と、その下方に配置されたプリンタ２００とを有してなる。イメージスキャナ１００は、これまで説明してきた本発明にかかる画像読取装置である。
【００４１】
先ず、イメージスキャナ１００の構成とその動作について説明する。
イメ−ジスキャナ１００の画像読取面には、原稿台として機能する透明なコンタクトガラス１が設けられており、その上方には開閉自在な圧板５０が配置されている。圧板５０の内側の面、つまり原稿背面と対向する部分は白色になっている。
コンタクトガラス１の下方には、光学走査系が設けられている。この光学走査系には、露光ランプ２及びミラ−３を含む第一走行体、ミラ−４及びミラー５を含む第二走行体、及びレンズ６とイメ−ジセンサ７を含む受光ユニットが備わっている。第一走行体と第二走行体は、副走査のためにそれぞれ紙面左右方向に機械的に駆動される。
【００４２】
露光ランプ２から出た光は、原稿面又は圧板５０内側の面で反射し、その反射光がミラ−３，４，５及びレンズ６を通ってイメ−ジセンサ７に入射する。
ここで、これまで説明したように、レンズ６とイメージセンサ７との間にアナモフィック面を有するミラーを配置することで、主走査方向、副走査方向共に、各像高での固体撮像素子からの出力信号を均一にしている。
【００４３】
次に、プリンタ２００の構成とその動作について説明する。
イメ−ジスキャナ１００によって読み取られた画像情報は、所定の画像処理を施された後、プリンタ２００に入力されコピ−画像を形成する。プリンタ２００の画像書込ユニットには、レ−ザ光源９，ポリゴンミラ−スキャナ１０，ｆθレンズ１１，ミラ−１２，及び防塵ガラス４５が設けられている。
レ−ザ光源９からは、記録すべき画像の各画素の記録／非記録に対応する二値信号で変調されたレ−ザ光が発射され、このレ−ザ光がポリゴンミラ−スキャナ１０で反射し、ｆθレンズ１１，ミラ−１２及び防塵ガラス４５を通って感光体ドラム８の表面に結像される。
【００４４】
感光体ドラム８の周辺には、クリ−ニングユニット４２，除電ランプ４３，メインチャ−ジャ４４，現像ユニット１４，転写ベルト１５，転写チャ−ジャ１６等の電子写真プロセスにしたがうプロセス部材が設けられている。
感光体ドラム８の表面は、先ず、メインチャ−ジャ４４によって均一に所定の高電位に帯電される。この面に画像に対応するレ−ザ光が照射されると、表面電位が変化し、画像つまりレ−ザ光のオン／オフに応じて電位分布が形成される。この電位分布、即ち静電潜像が現像ユニット１４を通ると、トナ−が電位の高低に応じて付着し、可視像が形成される。
【００４５】
感光体ドラム８上に形成された可視像、つまりトナ−像は、転写チャ−ジャ１６によって転写ベルト１５上に転写される。さらに、給紙カセット１７又は１８から給紙される転写紙が、レジストロ−ラ２２を介して転写ベルト１５上に送り込まれ、転写ベルト１５上のトナ−像が転写チャ−ジャ２３，２４によって転写紙に転写される。
トナ−像が転写された転写紙は、分離チャ−ジャ２５によって転写ベルト１５から分離され、定着ロ−ラ２６，２７を通ってトナ−像を定着され、排紙経路２８を通り、排紙ローラ２９により排出される。
【００４６】
ここで、イメージスキャナ１００は本発明にかかる画像読取装置であるため、複写機３００は良好な画像形成、すなわち出力画像の高画質化を実現することができる。
【００４７】
【発明の効果】
本発明によれば、結像レンズの主走査方向と副走査方向の各像高における結像位置が異なっている場合においても、主走査方向と副走査方向共に、各像高での固体撮像素子からの出力信号を均一にし、結像性能の劣化しない高品質な画像読取が可能となる。
また、本発明によれば、カラー原稿にも対応でき、Ｒ，Ｇ，Ｂの各色の結像位置を一致させ、主走査方向と副走査方向共に、各像高での固体撮像素子からの出力信号を各色、各像高共に均一にし、結像性能の劣化しない高品質な画像読取が可能となる。
さらに、本発明によれば、光軸上光束の主走査方向と副走査方向の結像位置を変化させないようにすることができる。
【図面の簡単な説明】
【図１】本発明にかかる画像読取装置の実施の形態を示す光学配置図である。
【図２】本発明にかかる画像読取装置の別の実施の形態を示す光学配置図である。
【図３】本発明にかかる画像形成装置の実施の形態を示す中央断面図である。
【図４】従来の画像読取装置の一例を示す光学配置図である。
【図５】従来の画像読取装置の欠点について説明した光学配置図である。
【図６】従来の画像読取装置における各色とＭＴＦとの関係の一例を示す線図である。
【図７】従来の画像読取装置の光学系の解像力特性を示す線図である。
【符号の説明】
Ｐ　　　原稿
Ｑ　　　照明手段
Ｌ１　　結像レンズ
ＭＡ　　アナモフィック面を有するミラー
１００　イメージスキャナ（画像読取装置）
２００　プリンタ
３００　複写機（画像形成装置）
４００　固体撮像素子
【図１】
2004109793.tif 000003
【図２】
2004109793.tif 000004
【図３】
2004109793.tif 000005
【図４】
2004109793.tif 000006
【図５】
2004109793.tif 000007
【図６】
2004109793.tif 000008
【図７】
2004109793.tif 000009